(57)【要約】【課題】従来のＧＰＳプロッターでは、目標物を指定する場合、目的地の設定あるいは表示画面でカーソルなどを操作して、その都度設定操作を行う必要があり、さらに、イベントマークなどの表示では、自船からの方向や距離はユーザーが測定する必要があった。【解決手段】ＧＰＳアンテナ１に自船の現在位置情報を設定する現在位置情報設定回路２が接続され、この現在位置情報設定回路２の出力は合成比較設定回路３に接続され、又、この合成比較設定回路３の入力端子にイベントマーク又は目的地等の位置情報を記憶するメモリ４が接続され、合成比較設定回路３の出力は方位・距離計測回路５に接続され、さらに、方位・距離計測回路５の出力は画像メモリ６に接続され、又、画像メモリ６の出力は表示装置７に接続されて、又、メモリ４にイベントマーク又は目的地等の位置情報を設定する位置情報設定装置８が設定されている。【選択図】        図１
2005031162.tif 000002
【特許請求の範囲】
【請求項１】
ＧＰＳアンテナから現在位置情報信号を検出する現在位置情報検出回路と、イベントマーク又は目的地等の位置情報信号を記憶する位置情報記憶メモリと、前記現在位置情報検出回路からの出力された位置情報信号と前記位置情報記憶メモリから出力された前記イベントマーク又は目的地等の位置情報信号路とを入力する合成比較決定回路と、合成比較決定回路で決定された前記現在位置から前記イベントマーク又は目的地等の位置に対する方位及び距離を計測する方位・距離計測回路と、該方位・計測回路で計測した方位及び距離を記憶する画像メモリと、該画像メモリに記憶された方位及び距離を表示する表示装置とからなり、自船の現在位置からイベントマーク又は目的地等の位置までの方位・距離を前記表示装置の地図上に表示することを特徴とするＧＰＳプロッター。
【請求項２】
前記表示装置の表示画面に専用画面を表示し、自船のマークと目標物の方向と目標物までの距離を表示することを特徴とする請求項２記載のＧＰＳプロッター。
【発明の詳細な説明】
【０００１】
【発明が属する技術分野】
本発明は、衛星からの自船の現在位置情報を受信して、画面の地図上に自船の位置、方位、船速等を表示するＧＰＳプロッターに関するものである。
【０００２】
【従来の技術】
一般に、ルアーフィッシングのように、自船からある程度離れた場所の目標物に向かってルアーを投げる場合、自船のどの方向に、どの位の距離を投げればよいかを瞬時に把握したいという要望がある。
【０００３】
【発明が解決しようとする課題】
しかしながら、従来のＧＰＳプロッターでは、目標物を指定する場合、目的地の設定あるいは表示画面でカーソルなどを操作して、その都度設定操作を行う必要があり、さらに、イベントマークなどの表示方式では、自船からの方向や距離はユーザーが測定する必要があった。
【０００４】
【課題を解決しようとする手段】
本発明は、ＧＰＳアンテナから現在位置情報信号を検出する現在位置情報検出回路と、イベントマーク又は目的地等の位置情報信号を記憶する位置情報記憶メモリと、前記現在位置情報検出回路からの出力された位置情報信号と前記位置情報記憶メモリから出力された前記イベントマーク又は目的地等の位置情報信号路とを入力する合成比較決定回路と、合成比較決定回路で決定された前記現在位置から前記イベントマーク又は目的地等の位置に対する方位及び距離を計測する方位・距離計測回路と、該方位・計測回路で計測した方位及び距離を記憶する画像メモリと、該画像メモリに記憶された方位及び距離を表示する表示装置とからなり、自船の現在位置からイベントマーク又は目的地等の位置までの方位・距離を前記表示装置の地図上に表示するものであり、又、前記表示装置の表示画面に専用画面を表示し、自船のマークと目標物の方向と目標物までの距離を表示するものである。
【０００５】
【発明の実施の形態】
本発明は、画面に表示されている目標物（目的地、イベントマークなど）に自船が近づくことにより、自動的に動作し、自船から目標物までの方向（矢印などで表示）や距離を画面上に表示し、又、この自動動作のきっかけは、メニューなどでユーザーが設定した自船からの距離の中に目標物が入った場合に動作し、又、設定した距離内に複数の目標物が入った場合は、最も近い目標物に対して動作するか、さらに、目標物に仮の番号が与えられ、ユーザーがキーによって選択することにより動作し、この動作時の表示は、専用画面が通常の画面の一部に表示され、自船のマーク（上が船首方向）と目標物の方向（矢印表示）と目標物までの距離が表示される。
【０００６】
【実施例】
図１は本発明の実施例のＧＰＳプロッターのブロック図で、ＧＰＳアンテナ１に自船の現在位置情報を設定する現在位置情報設定回路２が接続され、この現在位置情報設定回路２の出力は合成比較設定回路３に接続され、又、この合成比較設定回路３の入力端子にイベントマーク又は目的地等の位置情報を記憶するメモリ４が接続され、合成比較設定回路３の出力は方位・距離計測回路５に接続され、さらに、方位・距離計測回路５の出力は画像メモリ６に接続され、又、画像メモリ６の出力は表示装置７に接続されて、又、メモリ４にイベントマーク又は目的地等の位置情報を設定する位置情報設定装置８が設定されている。
【０００７】
このように構成した本実施例のＧＰＳプロッターでは、現在位置情報設定回路２で自船の現在位置情報を設定し、この現在位置情報信号を合成比較設定回路３に入力するとともに、予め位置情報設定装置８からイベントマーク又は目的地等の位置情報を設定して記憶された位置情報信号をメモリ４から合成比較設定回路３に入力することにより、自船の位置とイベントマーク又は目的地等の位置との差信号及び方位信号を方位・距離計測回路５に入力すると、この方位・距離計測回路５で自船からイベントマーク又は目的地までの距離と方位を計測し、この信号を画像メモリ６に入力し、画像メモリ６から表示装置７に距離と方位信号を入力することにより、図２で示すように、予め入力された陸地９と海１０が表示されている画面１１の海１０に自船１２の船首方向１２ａとイベントマーク又は目的地１３を表示し、又、専用画面１４を表示装置７の通常の表示画面の一部に表示され、自船１２のマーク（上が船首方向）１５、自船のマーク１５から目標物１３の方位を示す矢印１６及び自船１２からイベントマーク又は目的地１３までの距離１７を表示する。
【０００８】
本実施例では、このように、表示装置７の陸地９と海１０が表示された画面１１に自船１２及びイベントマーク又は目的地１３を表示し、さらに、専用画面１４を通常の表示画面の一部に表示し、自船１２のマーク１５及びマーク１５からからイベントマーク又は目的地１３までの方位１６及び距離１７を表示するようにしたので、操作者である釣り人は自船１２からイベントマークや目標物１３までの方向１６と距離１７が簡単に認識でき、従って、ルアーフィッシングのように、自船１２からある程度離れた場所の目標物１３に向かってルアーを投げる場合、自船１２のどの方向に、どの位の距離を投げればよいかを瞬時に把握することができる。
【０００９】
なお、位置情報設定装置８でメモリ４に設定されるイベントマーク又は目標物の位置情報は１つに限ることなく、複数のイベントマーク又は目標物等の位置情報が記憶された場合は、イベントマーク又は目標物等の位置情報に仮の番号が与えられ、操作者が選択キー（図示せず）によって選択することができる。
【００１０】
【発明の効果】
以上説明したように、本発明のＧＰＳプロッターでは、画面に表示されている目標物（目的地、イベントマークなど）に自船が近づくことにより、自動的に動作し、自船から目標物までの方向（矢印などで表示）や距離を画面上に表示し、又、この自動動作のきっかけは、メニューなどでユーザーが設定した自船からの距離の中に目標物が入った場合に動作し、又、設定した距離内に複数の目標物が入った場合は、最も近い目標物に対して動作するか、さらに、目標物に仮の番号が与えられ、ユーザーがキーによって選択することにより動作し、この動作時の表示は、専用画面が通常の画面の一部に表示され、自船のマーク（上が船首方向）と目標物の方向（矢印表示）と目標物までの距離が表示装置に表示されるという利点がある。
【図面の簡単な説明】
【図１】図１は本発明の実施例の美容器の超音波出力制御装置のブロック図である。
【図２】図２は図１の発振制御回路で設定された発振出力パターンの波形図である。
【符号の説明】
１          ＧＰＳアンテナ
２          現在位置情報設定回路
３          合成比較決定回路
４          メモリ
５          方位・距離決定回路
６          画像メモリ
７          表示装置
８          位置情報設定装置
【図１】
2005031162.tif 000003
【図２】
2005031162.tif 000004